(57)【要約】【課題】誤り訂正回路を大規模化せず、設計上の負担を軽減する記録再生装置及び記録再生方法を提供すること。【解決手段】入力された撮像データに対して、第１の誤り訂正能力を有する第１誤り訂正符号と、第１の誤り訂正能力よりも強い第２の誤り訂正能力を有する第２誤り訂正符号を付加する誤り訂正符号化回路部１１と、第１誤り訂正符号と第２誤り訂正符号が付加された撮像データを記憶する記憶部１２と、第１誤り訂正符号に基づいて撮像データの誤り訂正復号を行う第１誤り訂正復号回路部１３と、操作部１４により入力された第１操作信号に応じて、記憶部１２に記憶されている撮像データを読み出し、読み出した撮像データを第１誤り訂正復号回路部１３に入力する制御部１５と、を備える。第１誤り訂正復号回路部１３は、撮像データに付加されている第１誤り訂正符号に基づいて当該撮像データの誤り訂正復号を行う。【選択図】図１
2014099751.tif 000002
【特許請求の範囲】
【請求項１】
入力された撮像データに対して、第１の誤り訂正能力を有する第１誤り訂正符号と、前記第１の誤り訂正能力よりも強い第２の誤り訂正能力を有する第２誤り訂正符号を付加する誤り訂正符号化回路部と、
前記誤り訂正符号化回路部により前記第１誤り訂正符号と前記第２誤り訂正符号が付加された撮像データを記憶する記憶部と、
前記第１誤り訂正符号に基づいて撮像データの誤り訂正復号を行う第１誤り訂正復号回路部と、
操作部と、
前記操作部により入力された第１操作信号に応じて、前記記憶部に記憶されている撮像データを読み出し、読み出した撮像データを前記第１誤り訂正復号回路部に入力する制御部と、を備え、
前記第１誤り訂正復号回路部は、入力された前記撮像データに付加されている前記第１誤り訂正符号に基づいて当該撮像データの誤り訂正復号を行う記録再生装置。
【請求項２】
前記第２誤り訂正符号に基づいて撮像データに対して誤り訂正復号を行う第２誤り訂正復号回路部を備える外部装置に接続される接続部を備え、
前記制御部は、前記操作部により入力された第２操作信号に応じて、前記記憶部に記憶されている撮像データを読み出して、前記接続部を介して前記第２誤り訂正復号回路部に入力する請求項１記載の記録再生装置。
【請求項３】
入力された撮像データに対して、第１の誤り訂正能力を有する第１誤り訂正符号と、前記第１の誤り訂正能力よりも強い第２の誤り訂正能力を有する第２誤り訂正符号を付加する誤り訂正符号化工程と、
前記誤り訂正符号化工程により前記第１誤り訂正符号と前記第２誤り訂正符号が付加された撮像データを記憶部に記憶する記憶工程と、
入力された第１操作信号に応じて、前記記憶部に記憶されている撮像データを読み出し、読み出した撮像データを第１誤り訂正復号回路部に入力する制御工程と、を備え、
前記第１誤り訂正復号回路部は、入力された前記撮像データに付加されている前記第１誤り訂正符号に基づいて当該撮像データの誤り訂正復号を行う記録再生方法。
【発明の詳細な説明】
【技術分野】
【０００１】
本発明は、撮像データに対して符号化及び復号を行う記録再生装置及び記録再生方法に関する。
【背景技術】
【０００２】
近年、ＨＤＴＶ（画素数１９２０×１０８０）よりもさらに高精細なＴＶ（例えば、画素数が４０９６×２１６０の高精細映像（４ＫＵＨＤＴＶ））のカメラが、デジタルシネマ産業や医療用途で使われている。
【０００３】
さらに、画素数が８１９２×４３２０の超高精細映像（８ＫＵＨＤＴＶ）のカメラの研究開発も進んでいる。
例えば、８ＫＵＨＤＴＶは、非圧縮のデータレートが７２Ｇｂｐｓと非常に高速である。ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等の記録媒体を並列化することによって記録を行うことができるが、高速アクセスと大容量が求められるため、記録装置自体のサイズを小型化することは難しい。よって、８ＫＵＨＤＴＶ等のカメラでは、ＨＤＴＶのカメラのように、カメラヘッドと記録装置及び記録媒体を一体化させることが難しいため、ロケ収録時の利便性が向上しない。
【０００４】
ところで、ＨＤＴＶのカメラでは、書き換え可能な不揮発性の半導体メモリであるＮＡＮＤフラッシュメモリを使った記録媒体を採用した製品が普及している。
ＮＡＮＤフラッシュメモリは、素子の性質上、記憶する情報ビットに一定の誤りが含まれる。この誤り率は、プロセスルールの微細化による高密度化が進むにつれて増大する。また、書き換え回数にともなう素子の劣化も誤り率を増大させる一因である。
【０００５】
ＮＡＮＤフラッシュメモリを採用した代表的な記録媒体として、ＳＳＤがあげられる。主にモバイルパソコンに使用されるＳＳＤは、内部にＮＡＮＤフラッシュメモリのコントローラを備え、誤り訂正を行うための符号化と、符号化されたデータの復号をコントローラ上で行うことによって、ＮＡＮＤフラッシュメモリの誤り率を抑え、エラーフリーな情報の記録・再生を実現している（特許文献１を参照）。
【０００６】
また、デジタルカメラや携帯電話に使用されるメモリーカードには、メモリーカード内部に誤り訂正機能を含む方式と、メモリーカードの外部で誤り訂正を行う方式の二種類が存在する。後者のメモリーカードを使用する機器は、ＳＳＤと同様にコントローラ等の誤り訂正機能をメモリーカードの外部に備える。このように、ＮＡＮＤフラッシュメモリはメモリチップ単体ではなく、専用のコントローラと組み合わせて使用される実態がある。
【先行技術文献】
【特許文献】
【０００７】
【特許文献１】特開１１−２７２５６８号公報
【発明の概要】
【発明が解決しようとする課題】
【０００８】
８ＫＵＨＤＴＶのカメラにおいて、カメラヘッドと記録媒体を同一の筐体に収める場合、基板上にＮＡＮＤフラッシュメモリのメモリチップを高密度に並列実装したハードウェアによって、記録媒体の小型化を図ることが可能となる。
【０００９】
ＮＡＮＤフラッシュメモリは、メモリチップを並列化することで、記録及び再生速度の高速化が図ることが可能であるが、７２Ｇｂｐｓという高速なデータレートの誤り訂正回路を実現するには、その回路規模が大型化してしまう問題がある。
【００１０】
特に、誤り訂正回路をＦＰＧＡ（Ｆｉｅｌｄ  Ｐｒｏｇｒａｍｍａｂｌｅ  Ｇａｔｅ  Ａｒｒａｙ）で実現する場合は、ハイエンドなＦＰＧＡチップが必要となり、記録媒体の価格が高くなるという問題がある。さらには、ハイエンドのＦＰＧＡチップを採用する場合は、放熱を考慮した設計により記録媒体のサイズが大きくなる問題もある。
【００１１】
また、高速かつ大容量な記録のために、大容量ＮＡＮＤフラッシュメモリのメモリチップを多数並列化して利用する場合、ハードウェアに要求される誤り訂正回路が大規模化し、記録装置を設計する上でさらなる大きな負担となることも予測される。
【００１２】
本発明は、高密度な記録のために、大容量ＮＡＮＤフラッシュメモリのメモリチップを多数並列化した場合も、誤り訂正回路を大規模化せず、設計上の負担を軽減する記録再生装置及び記録再生方法を提供することを一つの目的とする。
【課題を解決するための手段】
【００１３】
本発明に係る記録再生装置は、入力された撮像データに対して、第１の誤り訂正能力を有する第１誤り訂正符号と、前記第１の誤り訂正能力よりも強い第２の誤り訂正能力を有する第２誤り訂正符号を付加する誤り訂正符号化回路部と、前記誤り訂正符号化回路部により前記第１誤り訂正符号と前記第２誤り訂正符号が付加された撮像データを記憶する記憶部と、前記第１誤り訂正符号に基づいて撮像データの誤り訂正復号を行う第１誤り訂正復号回路部と、操作部と、前記操作部により入力された第１操作信号に応じて、前記記憶部に記憶されている撮像データを読み出し、読み出した撮像データを前記第１誤り訂正復号回路部に入力する制御部と、を備え、前記第１誤り訂正復号回路部は、入力された前記撮像データに付加されている前記第１誤り訂正符号に基づいて当該撮像データの誤り訂正復号を行う構成である。
【００１４】
かかる構成によれば、記録再生装置は、撮像データに対して、第１の誤り訂正能力を有する第１誤り訂正符号と、前記第１の誤り訂正能力よりも強い第２の誤り訂正能力を有する第２誤り訂正符号を付加し、第１操作信号に応じて、第１誤り訂正復号回路部により第１誤り訂正符号に基づいて当該撮像データの誤り訂正復号を行うので、大容量ＮＡＮＤフラッシュメモリのメモリチップを多数並列化した場合も、誤り訂正回路を大規模化せず、設計上の負担を軽減することができる。
【００１５】
記録再生装置では、前記第２誤り訂正符号に基づいて撮像データに対して誤り訂正復号を行う第２誤り訂正復号回路部を備える外部装置に接続される接続部を備え、前記制御部は、前記操作部により入力された第２操作信号に応じて、前記記憶部に記憶されている撮像データを読み出して、前記接続部を介して前記第２誤り訂正復号回路部に入力する構成でもよい。
【００１６】
かかる構成によれば、記録再生装置は、撮像データに対して、第１の誤り訂正能力を有する第１誤り訂正符号と、前記第１の誤り訂正能力よりも強い第２の誤り訂正能力を有する第２誤り訂正符号を付加し、第２操作信号に応じて、外部装置に備えられている第２誤り訂正復号回路部により第２誤り訂正符号に基づいて当該撮像データの誤り訂正復号を行わせるので、大容量ＮＡＮＤフラッシュメモリのメモリチップを多数並列化した場合も、誤り訂正回路を大規模化せず、設計上の負担を軽減することができる。
【００１７】
本発明に係る記録再生方法は、入力された撮像データに対して、第１の誤り訂正能力を有する第１誤り訂正符号と、前記第１の誤り訂正能力よりも強い第２の誤り訂正能力を有する第２誤り訂正符号を付加する誤り訂正符号化工程と、前記誤り訂正符号化工程により前記第１誤り訂正符号と前記第２誤り訂正符号が付加された撮像データを記憶部に記憶する記憶工程と、入力された第１操作信号に応じて、前記記憶部に記憶されている撮像データを読み出し、読み出した撮像データを第１誤り訂正復号回路部に入力する制御工程と、を備え、前記第１誤り訂正復号回路部は、入力された前記撮像データに付加されている前記第１誤り訂正符号に基づいて当該撮像データの誤り訂正復号を行う構成である。
【００１８】
かかる構成によれば、記録再生方法は、撮像データに対して、第１の誤り訂正能力を有する第１誤り訂正符号と、前記第１の誤り訂正能力よりも強い第２の誤り訂正能力を有する第２誤り訂正符号を付加し、第１操作信号に応じて、第１誤り訂正復号回路部により第１誤り訂正符号に基づいて当該撮像データの誤り訂正復号を行うので、大容量ＮＡＮＤフラッシュメモリのメモリチップを多数並列化した場合も、誤り訂正回路を大規模化せず、設計上の負担を軽減することができる。
【発明の効果】
【００１９】
本発明によれば、高速かつ大容量な記録のために、大容量ＮＡＮＤフラッシュメモリのメモリチップを多数並列化した場合も、誤り訂正回路を大規模化せず、設計上の負担を軽減することができる。
【図面の簡単な説明】
【００２０】
【図１】記録再生装置の構成を示す図である。
【図２】誤り訂正符号化回路部により第１誤り訂正符号と第２誤り訂正符号が付加された撮像データを模式的に示す図である。
【図３】データ保持期間とエラー率の関係を示す図である。
【図４】記録再生装置により誤り訂正を行う際の処理の流れについての説明に供するフローチャートである。
【図５】外部装置により誤り訂正を行う際の処理の流れについての説明に供するフローチャートである。
【発明を実施するための形態】
【００２１】
以下、本発明の実施形態の一例について図を参照しながら説明する。
記録再生装置１は、図１に示すように、誤り訂正符号化回路部１１と、記憶部１２と、第１誤り訂正復号回路部１３と、操作部１４と、制御部１５と、表示部１６と、を備える。例えば、誤り訂正符号化回路部１１、第１誤り訂正復号回路部１３及び制御部１５は、ＮＡＮＤフラッシュメモリのコントローラに相当し、記憶部１２は、ＮＡＮＤフラッシュメモリのメモリチップに相当する。
【００２２】
誤り訂正符号化回路部１１は、入力された撮像データＤに対して、第１の誤り訂正能力を有する第１誤り訂正符号ＥＣＣ１と、第１の誤り訂正能力よりも強い第２の誤り訂正能力を有する第２誤り訂正符号ＥＣＣ２を付加する（図２を参照）。例えば、撮像データは、画素数が４０９６×２１６０の高精細映像（４ＫＵＨＤＴＶ）又は画素数が８１９２×４３２０の超高精細映像（８ＫＵＨＤＴＶ）のカメラにより撮像されたデータである。
【００２３】
例えば、第１誤り訂正符号は、訂正能力が４ｂｉｔ／１０２４ＫＢｙｔｅの訂正符号である。また、第２誤り訂正符号は、訂正能力が２４ｂｉｔ／１０２４ＫＢｙｔｅの訂正符号である。
【００２４】
記憶部１２は、複数のＮＡＮＤフラッシュメモリのメモリチップにより構成されており、誤り訂正符号化回路部１１により第１誤り訂正符号と第２誤り訂正符号が付加された撮像データを並列的に記憶する。
【００２５】
第１誤り訂正復号回路部１３は、第１誤り訂正符号に基づいて撮像データの誤り訂正復号を行う。
【００２６】
操作部１４は、ユーザの操作に応じて操作信号を生成し、制御部１５に供給する。
制御部１５は、操作部１４により入力された第１操作信号に応じて、記憶部１２に記憶されている撮像データを読み出し、読み出した撮像データを第１誤り訂正復号回路部１３に入力する。第１誤り訂正復号回路部１３は、入力された撮像データに付加されている第１誤り訂正符号に基づいて当該撮像データの誤り訂正復号を行う。
【００２７】
表示部１６は、第１誤り訂正復号回路部１３により誤り訂正復号された撮像データを表示する。
【００２８】
このようにして、記録再生装置１は、撮像データに対して、第１の誤り訂正能力を有する第１誤り訂正符号と、第１の誤り訂正能力よりも強い第２の誤り訂正能力を有する第２誤り訂正符号を付加し、第１操作信号に応じて、第１誤り訂正復号回路部１３により第１誤り訂正符号に基づいて当該撮像データの誤り訂正復号を行うので、大容量ＮＡＮＤフラッシュメモリのメモリチップを多数並列化した場合も、誤り訂正回路を大規模化せず、設計上の負担を軽減することができる。
【００２９】
記録再生装置１は、図１に示すように、第２誤り訂正符号に基づいて撮像データに対して誤り訂正復号を行う第２誤り訂正復号回路部２１を備える外部装置２に接続される接続部１７を備える。
【００３０】
制御部１５は、操作部１４により入力された第２操作信号に応じて、記憶部１２に記憶されている撮像データを読み出して、接続部１７を介して第２誤り訂正復号回路部２１に入力する。第２誤り訂正復号回路部２１は、入力された撮像データに付加されている第２誤り訂正符号に基づいて当該撮像データの誤り訂正復号を行う。
外部表示部３は、第２誤り訂正復号回路部２１により誤り訂正復号された撮像データを表示する。
【００３１】
このようにして、記録再生装置１は、撮像データに対して、第１の誤り訂正能力を有する第１誤り訂正符号と、第１の誤り訂正能力よりも強い第２の誤り訂正能力を有する第２誤り訂正符号を付加し、第２操作信号に応じて、外部装置２に備えられている第２誤り訂正復号回路部２１により第２誤り訂正符号に基づいて当該撮像データの誤り訂正復号を行わせるので、大容量ＮＡＮＤフラッシュメモリのメモリチップを多数並列化した場合も、誤り訂正回路を大規模化せず、設計上の負担を軽減することができる。
【００３２】
ここで、誤り訂正符号化回路部と誤り訂正復号回路部の回路規模について説明する。
一般的に、誤り訂正復号に要する回路規模は、誤り訂正符号化に要する回路規模と比較した場合、前者のほうが圧倒的に大規模になる。
【００３３】
また、誤り訂正復号の回路規模は、誤り訂正能力によっても異なり、例えば、１０２４ＫＢｙｔｅの情報に対して、最大４ｂｉｔの誤りを訂正する場合と、最大２４ｂｉｔの誤りを訂正する場合とを比較すると、後者の回路規模の方が圧倒的に大規模となる。
【００３４】
また、ＮＡＮＤフラッシュメモリは、図３に示すように、記録時から時間が経過するほど、記録素子から電子が抜ける量が増し、誤り率（エラー率）は悪くなる。
【００３５】
ここで、被写体を撮像するロケーションの期間（ｔ１）と、ロケーション終了後の期間（ｔ２）における誤り率の推移を図３に示す。図３に示すように、時間経過とともにエラー率は悪くなっていることを示している。
【００３６】
また、記録媒体を搭載したロケーション用のカメラでは、被写体を撮像した直後に行う簡単な収録内容（撮像データ）を確認するための再生機能（第１再生機能）と、ロケーション終了後に収録内容の編集等を行うための再生機能（第２再生機能）が求められる。
【００３７】
第１再生機能の場合、撮像データを記録媒体に記録した時から再生までの時間経過は短いので、撮影データの誤り率（エラー率）は比較的低く、簡易的な誤り訂正復号回路部でも、一定の画質で再生が可能である。また、第１再生機能の場合、カメラに搭載されているビューファインダー又は可搬型の小型モニタで収録内容（撮像データ）を確認するため、正確に訂正できなかった誤りによる映像の乱れもある程度許容できる。なお、カメラに搭載されているビューファインダー又は可搬型の小型モニタは、本実施例の表示部１６に相当する。
【００３８】
一方、第２再生機能の場合は、撮像データを記録媒体に記録した時から再生までの時間が長く、撮影データの誤り率（エラー率）が高いため、強力な誤り訂正復号回路による処理を行って、誤りによる映像の乱れを人間の視覚で検知できない程度に低い誤り率にする必要がある。
【００３９】
記録再生装置１は、上述したように、被写体を撮像した場合には、撮像データに第１再生機能を目的とした誤り訂正能力の低い簡易な符号化（第１誤り訂正符号に相当する）と、第２再生機能を目的とした誤り訂正能力の高い強力な符号化（第２誤り訂正符号に相当する）の、二種類の誤り訂正符号を付加している。
【００４０】
記録再生装置１は、ｔ１においては、第１誤り訂正復号回路部１３により撮像データに対して誤り訂正復号を行い、ｔ２においては、外部装置２に備えられている第２誤り訂正復号回路部２１により撮像データに対して誤り訂正復号を行う。以下に、記録再生装置１の具体的な動作について、図４及び図５に示すフローチャートを参照しながら説明する。
【００４１】
まず、撮像データの内容を確認する際の処理について説明する。以下の実施例では、記録再生装置１によって被写体を撮像した直後に、その場で、撮像データの内容を確認する場合を想定して説明する。
【００４２】
ステップＳＴ１において、操作部１４は、図４に示すように、記憶部１２に記憶されている撮像データの内容を確認（再生）するための操作が行われた場合には、第１操作信号を生成し、制御部１５に送信する。なお、記憶部１２には、複数の撮像データが格納されている。ユーザは、操作部１４を操作して、所望の撮像データを選択する。
【００４３】
また、ユーザは、選択した撮像データを内部に備えられている第１誤り訂正復号回路部１３により誤り訂正復号するのか、外部装置２に備えられている第２誤り訂正復号回路部２１により誤り訂正復号するのかを選択する構成でもよい。また、制御部１５は、操作部１４から操作信号が送信されたときに、接続部１７に外部装置２が接続されていなければ、撮像データを第１誤り訂正復号回路部１３に送信し、接続部１７に外部装置２が接続されていれば、撮像データを第２誤り訂正復号回路部２１に送信する構成でもよい。
【００４４】
ステップＳＴ２において、制御部１５は、第１操作信号に応じて、記憶部１２から撮像データを読み出し、第１誤り訂正復号回路部１３に送信する。
【００４５】
ステップＳＴ３において、第１誤り訂正復号回路部１３は、受信した撮像データに付加されている第１誤り訂正符号に基づいて当該撮像データの誤り訂正復号を行う。
ステップＳＴ４において、表示部１６は、第１誤り訂正復号回路部１３により誤り訂正復号された撮像データに基づく映像を表示する。
【００４６】
このようにして、記録再生装置１は、撮像データに対して、第１の誤り訂正能力を有する第１誤り訂正符号と、第１の誤り訂正能力よりも強い第２の誤り訂正能力を有する第２誤り訂正符号を付加し、第１操作信号に応じて、第１誤り訂正復号回路部により第１誤り訂正符号に基づいて当該撮像データの誤り訂正復号を行うので、大容量ＮＡＮＤフラッシュメモリのメモリチップを多数並列化した場合も、誤り訂正回路を大規模化せず、設計上の負担を軽減することができる。
【００４７】
つぎに、撮像データの編集等を行う際の処理について説明する。以下の実施例では、記録再生装置１によって被写体を撮像し、外部装置２である編集装置によって撮像データを取り込んで編集する場合を想定して説明する。
ステップＳＴ１１において、操作部１４は、図５に示すように、記憶部１２に記憶されている撮像データを編集するための操作が行われた場合には、第２操作信号を生成し、制御部１５に送信する。
【００４８】
ステップＳＴ１２において、制御部１５は、第２操作信号に応じて、記憶部１２から撮像データを読み出し、外部装置２に送信する。
【００４９】
ステップＳＴ１３において、第２誤り訂正復号回路部２１は、受信した撮像データに付加されている第２誤り訂正符号に基づいて当該撮像データの誤り訂正復号を行う。
ステップＳＴ１４において、外部表示部３は、第２誤り訂正復号回路部２１により誤り訂正復号された撮像データに基づく映像を表示する。そして、ユーザは、外部表示部３に表示される映像を見ながら、外部装置２を操作して、撮像データの編集を行う。
【００５０】
このようにして、記録再生装置１は、ロケーションの終了後に撮像データの編集やコピーを行う場合は、強力な誤り訂復号機能を備えた専用の編集機又は再生機（外部装置２に相当する）を利用するので、大容量ＮＡＮＤフラッシュメモリのメモリチップを多数並列化した場合も、誤り訂正回路を大規模化せず、設計上の負担を軽減することができる。
【００５１】
また、本実施例では、主に記録再生装置の構成と動作について説明したが、これに限られず、各構成要素を備え、高速かつ大容量な記録のために、大容量ＮＡＮＤフラッシュメモリのメモリチップを多数並列化した場合も、誤り訂正回路を大規模化せず、設計上の負担を軽減する記録再生方法、及びプログラムとして構成されてもよい。
【００５２】
さらに、記録再生装置の機能を実現するためのプログラムをコンピュータで読み取り可能な記録媒体に記録して、この記録媒体に記録されたプログラムをコンピュータシステムに読み込ませ、実行することによって実現してもよい。
【００５３】
ここでいう「コンピュータシステム」とは、ＯＳや周辺機器等のハードウェアを含むものとする。また、「コンピュータで読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００５４】
さらに「コンピュータで読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでもよい。また、上記プログラムは、前述した機能の一部を実現するためのものであってもよく、さらに前述した機能をコンピュータシステムにすでに記録されているプログラムとの組み合わせで実現できるものであってもよい。
【符号の説明】
【００５５】
１  記録再生装置
２  外部装置
３  外部表示部
１１  誤り訂正符号化回路部
１２  記憶部
１３  第１誤り訂正復号回路部
１４  操作部
１５  制御部
１６  表示部
１７  接続部
２１  第２誤り訂正復号回路部
【図１】
2014099751.tif 000003
【図２】
2014099751.tif 000004
【図３】
2014099751.tif 000005
【図４】
2014099751.tif 000006
【図５】
2014099751.tif 000007